(57)【要約】 【課題】  製造及び保守作業の容易化を図る。【解決手段】  固定金具用スリット形成部２４のスリット２４ｂ内に固定金具１４を挿入する。アンテナ１２のテーパ部１３をリアケース１６及び固定金具１４のアンテナ挿通孔１６ｂ、１４ｈ内へ差し込み、アンテナ保持部１４ａを環状凹部１５に嵌入させてアンテナ１２を係止する。フロントケース２６のねじ止め部２８と、回路基板１８の金属製環状端子１８ａと、固定金具１４の環状端子１４ｃと、案内筒２０とを位置合わせし、これらの各部にねじ２２を通してねじ止め部２８に螺入させ、これらを共締めする。これにより、固定金具１４は固定されてアンテナ１２をリアケース１６に固定する。【選択図】      図１
2006033408.tif 000002
【特許請求の範囲】
【請求項１】
アンテナをリアケースのアンテナ挿通孔から挿入して前記アンテナを無線情報端末装置のケースに固定する無線情報端末装置のアンテナ固定方法であって、
固定金具のアンテナ挿通孔を前記リアケースのアンテナ挿通孔に位置合わせして前記固定金具を配置し、
前記アンテナの挿入部を前記リアケース及び前記固定金具の前記アンテナ挿通孔内に差し込み、
前記固定金具の背面を前記アンテナの前記挿通部の後部に形成された凹部の係止面で係止させ、
前記固定金具を前記無線情報端末装置のケースに固定することを特徴とする無線情報端末装置のアンテナ固定方法。
【請求項２】
前記固定金具の配置は、前記リアケースの内壁面との間に固定金具用スリットを形成し、前記固定金具を前記固定金具用スリット内に移動可能に挿入して行うことを特徴とする請求項１記載の無線情報端末装置のアンテナ固定方法。
【請求項３】
前記固定金具の配置は、前記固定金具をばね機構上に保持し、該ばね機構を前記リアケースに取着して支持するようにして行うことを特徴とする請求項１記載の無線情報端末装置のアンテナ固定方法。
【請求項４】
前記固定金具の前記固定金具用スリット内への挿入部は平板に形成され、前記固定金具用スリットの前記挿入部の幅は、前記固定金具を移動可能に収容させるのに必要な幅であることを特徴とする請求項１、２又は３記載の無線情報端末装置のアンテナ固定方法。
【請求項５】
前記固定金具は、前記スリット内に収容されたとき、前記固定金具の前記アンテナ挿通孔の中心軸が前記リアケースの前記アンテナ挿通孔の中心軸から所定の間隔だけ変位されていることを特徴とする請求項４記載の無線情報端末装置のアンテナ固定方法。
【請求項６】
前記固定金具は、前記アンテナの挿入部の軸に向けて弾発力を与えられていることを特徴とする請求項４又は５記載の無線情報端末装置のアンテナ固定方法。
【請求項７】
前記アンテナの挿入部は、テーパ部と該テーパ部に続く凹部とから成り、該凹部の後面が前記固定金具の後面と当接するとき前記挿入部を係止することを特徴とする請求項１乃至６のいずれか一に記載の無線情報端末装置のアンテナ固定方法。
【請求項８】
前記固定金具の前記無線情報端末装置のケースへの固定は、前記固定金具のねじ挿通孔と前記リアケースのねじ挿通孔にねじを通し、該ねじを前記無線情報端末装置のフロントケースのねじ部に螺入させて行うことを特徴とする請求項１乃至７のいずれか一に記載の無線情報端末装置のアンテナ固定方法。
【請求項９】
アンテナ挿通孔を有するリアケースの該アンテナ挿通孔からアンテナを挿入して前記アンテナを無線情報端末装置のケースに固定する無線情報端末装置のアンテナ固定装置であって、
アンテナ挿通孔を有する固定金具と、
該固定金具の前記アンテナ挿通孔と前記リアケースの前記アンテナ挿通孔とを位置合わせして前記固定金具を配置する配置手段と、
前記アンテナの前記挿通部の後部に形成された凹部と、
前記リアケース及び固定金具の前記アンテナ挿通孔内に差し込まれた前記アンテナの前記挿通部の前記凹部に前記固定金具を嵌入係止させた状態で前記固定金具を前記無線情報端末装置のケースに固定する固定手段とを備えたことを特徴とする無線情報端末装置のアンテナ固定装置。
【請求項１０】
前記配置手段は、前記リアケースの内壁面との間に形成された固定金具用スリットとを有し、前記固定金具を前記固定金具用スリット内に移動可能に挿入して構成されることを特徴とする請求項９記載の無線情報端末装置のアンテナ固定装置。
【請求項１１】
前記配置手段は、前記固定金具を保持するばね機構と、該ばね機構を前記リアケースに取着して支持する機構とを有して構成されることを特徴とする請求項９記載の無線情報端末装置のアンテナ固定方法。
【請求項１２】
前記固定金具の前記固定金具用スリット内への挿入部は平板に形成され、前記固定金具用スリットの前記挿入部の幅は、前記固定金具を移動可能に収容させるのに必要な幅であることを特徴とする請求項９、１０又は１１記載の無線情報端末装置のアンテナ固定装置。
【請求項１３】
前記固定金具は、前記スリット内に収容されたとき、前記固定金具の前記アンテナ挿通孔の中心軸が前記リアケースの前記アンテナ挿通孔の中心軸から所定の間隔だけ変位されていることを特徴とする請求項１２記載の無線情報端末装置のアンテナ固定装置。
【請求項１４】
前記固定金具は、前記アンテナの挿入部の軸に向けて弾発力を与えられていることを特徴とする請求項１２又は１３記載の無線情報端末装置のアンテナ固定装置。
【請求項１５】
前記アンテナの挿入部は、テーパ部と該テーパ部に続く凹部とから成り、該凹部の後面が前記固定金具の後面と当接するとき前記挿入部を係止することを特徴とする請求項９乃至１４のいずれか一に記載の無線情報端末装置のアンテナ固定装置。
【請求項１６】
前記固定手段は、前記固定金具のねじ挿通孔と前記リアケースのねじ挿通孔にねじを通し、該ねじを前記無線情報端末装置のフロントケースのねじ部に螺入させて固定するように構成されていることを特徴とする請求項９乃至１５のいずれか一に記載の無線情報端末装置のアンテナ固定装置。
【請求項１７】
前記固定手段は、回路基板の金属製ねじ挿通孔と、前記固定金具のねじ挿通孔と前記リアケースのねじ挿通孔にねじを通し、該ねじを前記無線情報端末装置のフロントケースのねじ部に螺入させて固定するように構成されていることを特徴とする請求項１６記載の無線情報端末装置のアンテナ固定装置。
【発明の詳細な説明】
【技術分野】
【０００１】
この発明は、携帯無線機のアンテナ固定方法及びその装置に関し、詳しくは製造及び保守作業の容易な携帯無線機のアンテナ固定方法及びその装置に関する。
【背景技術】
【０００２】
近年、携帯無線機には、一体型、携帯型等各種形式の電話機が提案実用化されている。
また、携帯無線機で送受信に用いられるアンテナについても、伸張収納可能なアンテナが用いられているし、固定式アンテナも用いられている。
伸張収納可能なアンテナは、図９の（Ａ）及び（Ｂ）に示すように、伸張用エレメント５２と、収納用エレメント５４と、伸張用エレメント５２及び収納用エレメント５４のそれぞれを保持するサポート部５６とから構成されている。サポート部５６には、図９の（Ｃ）に示すように、金属製の雄ねじ部５８があり、この雄ねじ部５８をリアケース５７内部に設けられ、ナット５９内に螺入させ締め付けることにより、サポート部５６をリアケース６０に固定する。なお、図９の（Ａ）及び（Ｃ）は、アンテナを伸張させた状態を示し、図９の（Ｂ）は、アンテナを収納させた状態を示す。
【０００３】
この方法により、この形式のアンテナ５０はリアケース６０に固定される。
なお、回路基板６２から給電部材６４が延設されており、その給電部材６４が金属製ねじ部５８に弾接されてアンテナ５０への給電が行われるように構成されている。
【０００４】
従来用いられている固定式アンテナは、アンテナをリアケースにねじ止めしたり、図１０に示すように、アンテナ７０の固定部７１をリアケース６０のアンテナ挿通孔６１に挿通し、固定部７１とリアケース６０とを固定用ねじ（図１０には図示せず）を案内筒６３を経て矢印６５方向に挿通してそのねじの先端をリアケース６０に被せてあるフロントケース（図１０には図示せず）の対応位置にモールド形式で鋳込まれたナット又はねじ孔に螺入させて共締めする。この方法により、この例のアンテナ７０はリアケース６０に固定される。
【０００５】
また、固定式アンテナの他の例は、図１１に示すように、リアケース６０のアンテナ挿通孔６１を経てアンテナ７０のテーパ部７３を挿通して行き、リアケース６０の外面とアンテナ７０の当接面７５とが密着した状態において、リアケース６０の内側に位置している円形溝７７にリング６３を嵌着させる。この方法により、この例のアンテナ７０はリアケース６０に固定される。
【０００６】
また、特許文献１には、次のような技術、すなわち、アンテナの軸部を携帯型無線送受信機の筐体の軸受部に挿通し、軸受部の中心に向けて出没可能に設けられている金属球をばね板部材により上記中心に向けて推進させてその金属球をアンテナの軸部のクリック部に嵌合係止させ、アンテナをワンタッチで携帯型無線送受信機の筐体に取着させる技術が記載される。
【０００７】
また、特許文献２には、次のような技術が記載されている。アンテナの長方形部の長軸及び短軸とアンテナ取り付けブロックの長方形状の中空孔の対応する長軸及び短軸とを位置合わせした後、長方形部を上記中空孔内へ挿通する。そして、長方形部を反時計式方向に回動させて長方形部の長軸と中空孔の短軸とを一致させる。このとき、回転防止爪が爪係合孔に嵌入係合し、かつ、嵌合体の大径部の端部が円形中空孔内の突起に当接する。長方形部の長軸と中空孔の短軸との一致により、アンテナの抜け防止が達成され、回転防止爪と爪係合孔との係合により時計式方向の回動が阻止され、嵌合体の大径部の端部の円形中空孔内の突起への当接により反時計式方向の回動が阻止される。
【０００８】
【特許文献１】実開平６−１５３５３号公報
【特許文献２】特開２００１−１１９２１８号公報
【発明の開示】
【発明が解決しようとする課題】
【０００９】
上述した伸張収納可能な形式のアンテナ５０の固定方法でアンテナ５０をリアケース６０に固定した場合において、携帯無線機をアンテナ５０を下に向けて落下させてしまい、ストレスがアンテナに架かったとしても、アンテナが収納されて落下衝撃を和らげることができる。また、アンテナの破損が生じても、筐体を開けることなく、アンテナのみを交換することができる。
しかしながら、アンテナ収納部を筐体内に設ける必要があるため、筐体が大きくなるという欠点がある。
【００１０】
これに対して、固定式アンテナの場合には、ねじで固定されている部分がリアケース６０にアンテナ７０が挿入されている位置が離れているので、アンテナ７０から落下した場合の衝撃がアンテナ７０とねじとの間に発生してしまい、アンテナ７０が破損し易いという問題がある。リアケース内部でねじにより固定されている場合には、アンテナを交換するためには、リアケースを開けなければならいないという問題がある。
【００１１】
また、リング６３を用いてアンテナ７０を固定する上記他の例の方法においては、リアケース６０とアンテナ７０との間のガタが小さくなるから、アンテナ７０とリアケース６０とが一体となり、携帯無線機を落下させてしまったときの衝撃がアンテナ７０とリアケース６０の両方に架かり、アンテナ７０が破損し難くすることができるという有利な効果はあるが、リング６３が小さく硬いため、アンテナ７０をリアケース６０に組み込むときに専用の治具を必要となるほか、アンテナの交換の際の嵌め込んであるリングを外す作業が面倒であるという問題がある。
【００１２】
また、特許文献１でも、また、特許文献２でも、アンテナの軸を筐体又はアンテナ取り付けブロックのアンテナ挿入孔に挿入すること及びアンテナの軸を回動させるか又はその位置合わせをする必要とする。つまり、これら２つの動作が必須であり、そのための構成が必要不可欠である。構成の複雑化乃至アンテナの固定作業に煩雑さが生ずるという問題がある。
【００１３】
この発明は、上述の事情に鑑みてなされたもので、構成と取着性の簡易化により製造及び保守作業に容易性を齎し、かつ、強度の高い携帯無線機のアンテナ固定方法及びその装置を提供することを目的としている。
【課題を解決するための手段】
【００１４】
上記課題を解決するために、請求項１記載の発明は、アンテナをリアケースのアンテナ挿通孔から挿入して上記アンテナを無線情報端末装置のケースに固定する無線情報端末装置のアンテナ固定方法に係り、固定金具のアンテナ挿通孔を上記リアケースのアンテナ挿通孔に位置合わせして上記固定金具を配置し、上記アンテナの挿入部を上記リアケース及び上記固定金具の上記アンテナ挿通孔内に差し込み、上記固定金具の背面を上記アンテナの上記挿通部の後部に形成された凹部の係止面で係止させ、上記固定金具を上記無線情報端末装置のケースに固定することを特徴としている。
【００１５】
請求項２記載の発明は、請求項１記載の無線情報端末装置のアンテナ固定方法に係り、上記固定金具の配置は、上記リアケースの内壁面との間に固定金具用スリットを形成し、上記固定金具を上記固定金具用スリット内に移動可能に挿入して行うことを特徴としている。
【００１６】
請求項３記載の発明は、請求項１記載の無線情報端末装置のアンテナ固定方法に係り、上記固定金具の配置は、上記固定金具をばね機構上に保持し、該ばね機構を上記リアケースに取着して支持するようにして行うことを特徴としている。
【００１７】
請求項４記載の発明は、請求項１、２又は３記載の無線情報端末装置のアンテナ固定方法に係り、上記固定金具の上記固定金具用スリット内への挿入部は平板に形成され、上記固定金具用スリットの上記挿入部の幅は、上記固定金具を移動可能に収容させるのに必要な幅であることを特徴としている。
【００１８】
請求項５記載の発明は、請求項４記載の無線情報端末装置のアンテナ固定方法に係り、上記固定金具は、上記スリット内に収容されたとき、上記固定金具の上記アンテナ挿通孔の中心軸が上記リアケースの上記アンテナ挿通孔の中心軸から所定の間隔だけ変位されていることを特徴としている。
【００１９】
請求項６記載の発明は、請求項４又は５記載の無線情報端末装置のアンテナ固定方法に係り、上記固定金具は、上記アンテナの挿入部の軸に向けて弾発力を与えられていることを特徴としている。
【００２０】
請求項７記載の発明は、請求項１乃至６のいずれか一に記載の無線情報端末装置のアンテナ固定方法に係り、上記アンテナの挿入部は、テーパ部と該テーパ部に続く凹部とから成り、該凹部の後面が上記固定金具の後面と当接するとき上記挿入部を係止することを特徴としている。
【００２１】
請求項８記載の発明は、請求項１乃至７のいずれか一に記載の無線情報端末装置のアンテナ固定方法に係り、上記固定金具の上記無線情報端末装置のケースへの固定は、上記固定金具のねじ挿通孔と上記リアケースのねじ挿通孔にねじを通し、該ねじを上記無線情報端末装置のフロントケースのねじ部に螺入させて行うことを特徴としている。
【００２２】
請求項９記載の発明は、アンテナ挿通孔を有するリアケースの該アンテナ挿通孔からアンテナを挿入して上記アンテナを無線情報端末装置のケースに固定する無線情報端末装置のアンテナ固定装置に係り、アンテナ挿通孔を有する固定金具と、該固定金具の上記アンテナ挿通孔と上記リアケースの上記アンテナ挿通孔とを位置合わせして上記固定金具を配置する配置手段と、上記アンテナの上記挿通部の後部に形成された凹部と、上記リアケース及び固定金具の上記アンテナ挿通孔内に差し込まれた上記アンテナの上記挿通部の上記凹部に上記固定金具を嵌入係止させた状態で上記固定金具を上記無線情報端末装置のケースに固定する固定手段とを備えたことを特徴としている。
【００２３】
請求項１０記載の発明は、請求項９記載の無線情報端末装置のアンテナ固定装置に係り、上記配置手段は、上記リアケースの内壁面との間に形成された固定金具用スリットとを有し、上記固定金具を上記固定金具用スリット内に移動可能に挿入して構成されることを特徴としている。
【００２４】
請求項１１記載の発明は、請求項９記載の無線情報端末装置のアンテナ固定方法に係り、上記配置手段は、上記固定金具を保持するばね機構と、該ばね機構を上記リアケースに取着して支持する機構とを有して構成されることを特徴している。
【００２５】
請求項１２記載の発明は、請求項９、１０又は１１記載の無線情報端末装置のアンテナ固定装置に係り、上記固定金具の上記固定金具用スリット内への挿入部は平板に形成され、上記固定金具用スリットの上記挿入部の幅は、上記固定金具を移動可能に収容させるのに必要な幅であることを特徴としている。
【００２６】
請求項１３記載の発明は、請求項１２記載の無線情報端末装置のアンテナ固定装置に係り、上記固定金具は、上記スリット内に収容されたとき、上記固定金具の上記アンテナ挿通孔の中心軸が上記リアケースの上記アンテナ挿通孔の中心軸から所定の間隔だけ変位されていることを特徴としている。
【００２７】
請求項１４記載の発明は、請求項１２又は１３記載の無線情報端末装置のアンテナ固定装置に係り、上記固定金具は、上記アンテナの挿入部の軸に向けて弾発力を与えられていることを特徴としている。
【００２８】
請求項１５記載の発明は、請求項９乃至１４のいずれか一に記載の無線情報端末装置のアンテナ固定装置に係り、上記アンテナの挿入部は、テーパ部と該テーパ部に続く凹部とから成り、該凹部の後面が上記固定金具の後面と当接するとき上記挿入部を係止することを特徴としている。
【００２９】
請求項１６記載の発明は、請求項９乃至１５のいずれか一に記載の無線情報端末装置のアンテナ固定装置に係り、上記固定手段は、上記固定金具のねじ挿通孔と上記リアケースのねじ挿通孔にねじを通し、該ねじを上記無線情報端末装置のフロントケースのねじ部に螺入させて固定するように構成されていることを特徴としている。
【００３０】
請求項１７記載の発明は、請求項１６記載の無線情報端末装置のアンテナ固定装置に係り、上記固定手段は、回路基板の金属製ねじ挿通孔と、上記固定金具のねじ挿通孔と上記リアケースのねじ挿通孔にねじを通し、該ねじを上記無線情報端末装置のフロントケースのねじ部に螺入させて固定するように構成されていることを特徴としている。
【発明の効果】
【００３１】
固定金具のアンテナ挿通孔をリアケースのアンテナ挿通孔に位置合わせして固定金具を配置し、アンテナの挿入部をリアケース及び固定金具のアンテナ挿通孔内に差し込み、固定金具の背面をアンテナの挿通部の後部に形成された凹部の係止面で係止させ、固定金具を無線情報端末装置のケースに固定するようにしているから、携帯無線機の落下時の衝撃によるアンテナの破損を防ぐことができる。携帯無線機の製造が容易になると共に、アンテナの交換等の保守作業が容易になる。
【発明を実施するための最良の形態】
【００３２】
固定金具のアンテナ挿通孔をリアケースのアンテナ挿通孔に位置合わせして配置し、そのリアケース及び固定金具のアンテナ挿通孔内にアンテナの挿入部を差し込み、固定金具の背面をアンテナの挿通部の後部に形成された凹部の係止面で係止させ、その状態において固定金具を無線情報端末装置のケースに固定するようにして構成される。
【実施例１】
【００３３】
図１は、この発明の実施例１である携帯無線機のアンテナ固定装置を構成するリアケース側の要部構成の斜視図、図２は、同携帯無線機のアンテナ固定装置を構成するフロントケース側の要部構成の斜視図、図３は、アンテナの側面図、図４の（Ａ）は、同携帯無線機のアンテナ固定装置を構成する固定金具の斜視図、図４の（Ｂ）は、同携帯無線機のアンテナ固定装置を構成する固定金具の上面図、図５は、固定金具をリアケース内に収納させた状態を示す図、図６の（Ａ）は、アンテナの挿通過程の初期段階を図解する横断面図、また、図６の（Ｂ）は、アンテナの挿通過程の最終段階を図解する横断面図である。
【００３４】
この実施例の携帯無線機のアンテナ固定装置１０は、アンテナの挿入部をリアケース及び固定金具のアンテナ挿通孔からリアケース内へ差し込んで行きアンテナの挿入部を固定金具に沿って摺動変位させ、固定金具を挿入部の凹部に嵌入係止させ、固定金具をフロントケースとリアケースとの間に共締めしてアンテナを固定する装置に係り、このアンテナ固定装置１０は、図１に示すように、アンテナ１２と、固定金具１４と、リアケース１６と、回路基板１８と、リアケース１６の側面壁１６ａに形成されたアンテナ挿通孔１６ｂと、リアケース１６の平面壁１６ｃから直立して形成された案内筒２０と、案内筒２０に挿通されるねじ２２（図５参照）と、リアケース１６の平面壁１６ｃに直立し、かつ、側面壁１６ａを囲むように形成された固定金具用スリット形成部２４と、図２に示すように、リアケース１６の案内筒２０と対向して形成されるフロントケース２６のねじ止め部２８とにより構成されている。
【００３５】
アンテナ１２は、図３に示すように、キャップ部１２ａと挿入部１２ｂとから成る。挿入部１２ｂには、テーパ部１３と、環状凹部１５とが形成されている。挿入部１２ｂの断面は円形に形成され、その径はアンテナ挿通孔１６ｂより僅かに小さい。環状凹部１５の幅は、固定金具１４の幅よりも僅かに広い。
固定金具１４は、図４に示すように、アンテナ１２の挿入部１２ａを挿通するアンテナ挿通孔２４ｈを有するアンテナ保持部１４ａと、アンテナ保持部１４ａの外周上から外方に突出する腕部１４ｂと、腕部１４ｂに固設された環状端子１４ｃとを有して構成されている。
アンテナ保持部１４ａのアンテナ挿通孔２４ｈの内径は、テーパ部１３の最大径より僅かに大きい。
【００３６】
回路基板１８の金属製環状端子１８ａは、回路基板１８に搭載されている整合回路及び無線回路１９に接続されている。整合回路及び無線回路１９は、先ず整合回路が上記金属製環状端子１８ａに接続され、続いて整合回路が無線回路に接続されている。
そして、固定金具用スリット形成部２４は、モールド成形形式でリアケース１６と一体に形成される。その固定金具用スリット形成部２４には、ほぼ円形の切り欠き部２４ａ及び固定金具１４の腕部１４ｂを上下動可能に受け入れるスリット２４ｂが形成されている。
【００３７】
次に、図１乃至図６を参照して、この実施例においてアンテナの固定について説明する。
リアケース１６の平面壁１６ｃを下側に位置させた状態で、携帯無線機１０の固定金具用スリット形成部２４のスリット２４ｂ内に、固定金具１４を挿入する（図１の矢印１３）。このとき、固定金具１４は、固定金具用スリット形成部２４のスリット２４ｂ内で上下方向、すなわち、リアケース１６の開放方向に変位可能である。
【００３８】
その後に、アンテナ１２のテーパ部１３をアンテナ挿通孔１６ｂを通してリアケース１６内へ差し込んで行く（図１の矢印１７）。
その初期状態が、図６の（Ａ）に示されている。すなわち、アンテナ１２のテーパ部１３の比較的径の小さい部位上に固定金具１４のアンテナ挿通孔１４ｈの上側内周面が位置している。図６の（Ａ）及び（Ｂ）は、リアケース１６及び固定金具用スリット形成部２４を横断面で示す図である。
【００３９】
そして、さらにアンテナ１２のテーパ部１３をリアケース１６内へ差し込んで行く。それに伴って、固定金具１４のアンテナ保持部１４ａは、テーパ部１３のより径の大きい部位の方へ競り上がって行く。
遂には、アンテナ保持部１４ａのアンテナ差し込み方向後端が、テーパ部１３の最大径の部位を通過したとき、そのアンテナ保持部１４ａは、環状凹部１５に嵌入し、それ以上のテーパ部１３、すなわち、アンテナ１２の前進を止める、すなわち、アンテナ１２を係止する（図６の（Ｂ））。
【００４０】
この状態において、フロントケース２６のねじ止め部２８（図２）と、回路基板１８の金属製環状端子１８ａ（図５）と、固定金具１４の環状端子１４ｃと、案内筒２０とを位置合わせし、ねじ２２（図５）を案内筒２０、固定金具１４の環状端子１４ｃ、そして回路基板１８の金属製環状端子１８ａを経てねじ止め部２８に螺入させて（図１の矢印２１）これらを共締めする。このようにして、固定金具１４は固定される。したがって、アンテナ１２は、リアケース１６に固定される。
【００４１】
このようにして、固定金具１４の環状端子１４ｃと電気的に接続される回路基板１８の金属製環状端子１８ａは、整合回路及び無線回路１９に接続される。この給電系統を介して、回路からの送信電力はアンテナ１２に給電される一方、アンテナ１２で受信した受信信号は無線回路に供給される。
【００４２】
アンテナ１２を交換する場合には、ねじ２２を緩め、フロントケース２４とリアケース１４との間に隙間を与えることにより、固定金具１４がスライドして固定金具１４のアンテナ保持部１４ａがアンテナ１２の環状凹部１５から外れ、アンテナ１２を引き出すことが可能になる。
【００４３】
このように、この実施例の構成によれば、固定金具をアンテナの挿入部の環状凹部に嵌入係止させてその固定金具をフロントケース、回路基板の給電部及びリアケースと共締めして固定しているので、携帯無線機の落下時の衝撃によるアンテナの破損を防ぐことができる。
このようなアンテナの固定を簡易な構成で達成し、専用の工具を要せず取着性を向上させているため、携帯無線機の製造が容易になると共に、アンテナの交換等の保守作業が容易になる。
【実施例２】
【００４４】
図７は、この発明の実施例２である携帯無線機のアンテナ固定装置を構成するリアケース側の要部構成の斜視図である。
この実施例の構成が、実施例１のそれと大きく異なる点は、実施例１のアンテナ固定装置を継受しつつ、アンテナ固定装置と回路基板とを給電金具で接続するようにした点である。
【００４５】
すなわち、この実施例の携帯無線機のアンテナ固定装置１０Ａは、図７に示すように、実施例１における案内筒２０と回路基板１８との間の電気的接続を給電金具１８ｂで行うように構成したことにその特徴部分がある。給電金具１８ｂは、回路基板１８に固定され、給電金具１８ｂのパッド１８ｃは、回路基板18に搭載されている整合回路及び無線回路１９に接続されている。整合回路及び無線回路１９は、先ず整合回路が上記パッド８ｃに接続され、続いて整合回路が無線回路に接続されている。
この構成を採用する理由は、回路基板１８の位置と、環状端子１４ｃ、案内筒２０との間の段差（高さの違い）がある場合に、これらを直接共締めし得ないのを回避するためである。
この構成以外のこの実施例の構成は、実施例１と同じであるので、同一の構成部分には同一の参照符号を付して、その逐一の説明は省略する。
【００４６】
次に、図７を参照して、この実施例のアンテナの固定について説明する。
この実施例においても、アンテナ１２の挿入部１２ｂのテーパ部１３をリアケース１６のアンテナ挿通孔１６ｂに挿通して行き、固定金具１４が環状凹部１５に嵌入し、固定金具の後面が環状凹部１５の後面に当接してアンテナ１２を係止させることについては、実施例１と同じである。
【００４７】
この状態において、フロントケース２６のねじ止め部２８（図２）と、給電金具１８ｂのねじ挿通孔１８ｈ（図７）と、固定金具１４の環状端子１４ｃと、案内筒２０とを位置合わせし、ねじ２２（図５）を案内筒２０、固定金具１４の環状端子１４ｃ、そして給電金具１８ｂのねじ挿通孔１８ｈを経てねじ止め部２８に螺入させてこれらを共締めする。このようにして、固定金具１４は固定される。したがって、アンテナ１２は、リアケース１６及びフロントケース２６に固定される。
【００４８】
このようにして、固定金具１４の環状端子１４ｃと電気的に接続される給電金具１８ｂは、整合回路及び無線回路１９に接続される。この給電系統を介して、回路からの送信電力はアンテナ１２に給電される一方、アンテナ１２で受信した受信信号は無線回路に供給される。
【００４９】
アンテナ１２を交換する場合には、ねじ２２を緩め、フロントケース２４とリアケース１４との間に隙間を与えることにより、固定金具１４がスライドして固定金具１４のアンテナ保持部１４ａがアンテナ１２の環状凹部１５から外れ、アンテナ１２を引き出すことが可能になる。
【００５０】
このように、この実施例の構成によれば、実施例１と同効が得られるほか、アンテナの固定における固定金具とアンテナとの間に段差（高さの違い）があるときこれを吸収して給電系の構成に自由度を与えることができる。
【実施例３】
【００５１】
図８は、この発明の実施例３である無線携帯無線機のアンテナ固定装置の要部構成図である。
この実施例の構成が、実施例１のそれと大きく異なる点は、実施例１のアンテナ固定装置を継受しつつ、アンテナの挿入部と回路基板とを給電金具で接続するようにした点である。
すなわち、この実施例の携帯無線機のアンテナ固定装置１０Ｂは、図８に示すように、実施例１におけるアンテナの挿入部１２ｂと回路基板１８との間の電気的接続を給電金具１８ｄで直接行うように構成したことにその特徴部分がある。
その理由は、ねじボスと回路基板の段差や回路基板の大きさの制限により、回路基板の金属製環状端子１８ａが固定金具の環状端子１４ｃと共締めされ得ないのを回避するためである。
【００５２】
給電金具１８ｄの一端１８ｅは回路基板１８に固定され、その一端１８ｅは、回路基板18に搭載されている整合回路及び無線回路１９に接続されている。整合回路及び無線回路１９は、先ず整合回路が上記一端１８ｅに接続され、続いて整合回路が無線回路に接続されている。
この構成以外のこの実施例の構成は、実施例１と同じであるので、同一の構成部分には同一の参照符号を付して、その逐一の説明は省略する。
【００５３】
次に、図８を参照して、この実施例のアンテナの固定について説明する。
この実施例においても、アンテナ１２の挿入部１２ｂをリアケース１６のアンテナ挿通孔１６ｂに挿通して行き、固定金具１４が環状凹部１５に嵌入し、固定金具の後面が環状凹部１５の後面に当接してアンテナ１２を係止させることについては、実施例１と同じである。
【００５４】
そして、この状態において、フロントケース２６のねじ止め部２８（図２）と、固定金具１４の環状端子１４ｃと、案内筒２０とを位置合わせし、ねじ２２（図５）を案内筒２０、そして固定金具１４の環状端子１４ｃを経てねじ止め部２８に螺入させてこれらを共締めする。このようにして、固定金具１４は固定される。したがって、アンテナ１２は、リアケース１６及びフロントケース２６に固定される。
この固定が為されるとき、給電金具１８ｄの他端１８ｆは、上記係止によりアンテナ１２のテーパ部１３上に軽く弾接していたのが、強く弾接する。
【００５５】
このようにして、アンテナ１２のテーパ部１３との間に電気的接続が確立される給電金具１８ｄは、アンテナ整合回路及び無線回路に接続される。この給電系を介して、回路からの送信電力はアンテナ１２に給電される一方、アンテナ１２で受信した受信信号は無線回路に供給される。
【００５６】
アンテナ１２を交換する場合には、ねじ２２を緩め、フロントケース２４とリアケース１４との間に隙間を与えることにより、固定金具１４がスライドして固定金具１４のアンテナ保持部１４ａがアンテナ１２の環状凹部１５から外れ、アンテナ１２を引き出すことが可能になる。
【００５７】
このように、この実施例の構成によれば、実施例１と同効が得られるほか、アンテナの固定における共締めに支障を来たすのを回避して給電系を確立することができる。
【００５８】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、固定金具用スリット形成部２４は、リアケース１６と別体に形成されてもよい。
スリット２４ｂ内に挿入されている平板の固定金具１４のアンテナ挿通孔にアンテナ１２のテーパ部１３が差し込まれて行くとき、固定金具１４がテーパ部１３を競り上がって行き、そして環状凹部１５に嵌入する例について説明したが、スリット２４ｂ内に挿入されたときの固定金具１４のテーパ部１３の差し込み方向における断面を差し込み方向の軸線に向けて鋭角な断面とし、かつ、テーパ部１３の後部も同様の断面形状の溝にして実施することもできる。
【００５９】
その断面形状の固定金具及び溝において、さらに、差し込み方向に対して垂直な面内で、かつ、所定の角度範囲内でばね力を固定金具１４に与えるように構成し、固定金具１４の溝への嵌入をより確実にするようにして実施することもできる。
上記所定の角度範囲は、例えば、固定金具１４がスリット２４ｂ内に挿入された状態にあるときばね力が固定金具１４に架からず、テーパ部１３が挿入されてテーパ部１３が競り上がって行く間は勿論、環状凹部１５に固定金具１４が嵌入している状態にあるときばね力が固定金具１４に架かる角度である。
そして、固定金具１４が環状凹部１５に嵌入している状態において固定金具１４に架かるばね力は、アンテナ１２を引き抜くとき、固定金具１４が環状凹部１５から抜け出し得る大きさである。
【００６０】
固定金具と回路基板との電気的な接続を上述した機械的な接続でなく、固定金具と回路基板とを柔らかい撚り線で予め接続して置き、その固定金具を上述した固定方法で固定してもよい。
実施例３において、給電金具１８ｄの他端１８ｆを固定金具１４に弾接させるようにしてもよい。
【００６１】
これらのいずれにおいても、スリット２４ｂを形成することなしに、固定金具１４の保持を上述したところと同効を奏し得る構成で実施できる。
例えば、固定金具１４をばね機構上に保持し、そのばね機構をリアケース１６に取着して支持する。そして、固定金具１４の環状端子１４ｃを、ねじ止め部２８と金属製環状端子１４ａと案内筒２０との間に位置させて共締めして固定する。
この固定前におけるばね力の与え方は、テーパ部１３が挿入されない状態においてはばね力が固定金具１４にほぼ架からず、テーパ部１３が挿入されてテーパ部１３が競り上がって行く間は勿論、環状凹部１５に固定金具１４が嵌入している状態にあるときばね力が固定金具１４に架かる態様である。
そして、固定金具１４が環状凹部１５に嵌入している状態において固定金具１４に架かるばね力は、アンテナ１２を引き抜くとき、固定金具１４が環状凹部１５から抜け出し得る大きさである。
【産業上の利用可能性】
【００６２】
ここに開示している携帯無線機のアンテナ固定方法及びその装置は、各種の可搬型の無線機器、例えば、ワイヤレスの可搬型情報端末装置、ビデオカメラ、テレビ等においても利用し得る。
【図面の簡単な説明】
【００６３】
【図１】この発明の実施例１である携帯無線機のアンテナ固定装置を構成するリアケース側の要部構成の斜視図である。
【図２】この発明の実施例１である携帯無線機のアンテナ固定装置を構成するフロントケース側の要部構成の斜視図である。
【図３】アンテナの側面図である。
【図４】同携帯無線機のアンテナ固定装置を構成する固定金具の斜視図及び上面図である。
【図５】固定金具をリアケース内に収納させた状態を示す図である。
【図６】アンテナの挿通過程の初期段階及び最終段階を図解する横断面図である。
【図７】この発明の実施例２である携帯無線機のアンテナ固定装置を構成するリアケース側の要部構成の斜視図である。
【図８】この発明の実施例３である無線携帯無線機のアンテナ固定装置の要部構成図である。
【図９】従来の伸張収納式アンテナの伸張状態、収納状態及び固定の説明図である。
【図１０】従来の固定式アンテナの固定方法の１つの例を図解す斜視図である。
【図１１】従来の固定式アンテナの固定方法の他の例を図解す斜視図である。
【符号の説明】
【００６４】
１０、１０Ａ、１０Ｂ      携帯無線機
１２      アンテナ
１３      テーパ部（配置手段の一部）
１４      固定金具（固定手段の一部）
１５      環状凹部（凹部）
１６      リアケース（配置手段の一部）
１８      回路基板（固定手段の一部）
２０      案内筒（固定手段の一部）
２２      ねじ（固定手段の一部）
２４      固定金具用スリット形成部（配置手段の残部）
２６      フロントケース（固定手段の残部）
【図１】
2006033408.tif 000003
【図２】
2006033408.tif 000004
【図３】
2006033408.tif 000005
【図４】
2006033408.tif 000006
【図５】
2006033408.tif 000007
【図６】
2006033408.tif 000008
【図７】
2006033408.tif 000009
【図８】
2006033408.tif 000010
【図９】
2006033408.tif 000011
【図１０】
2006033408.tif 000012
【図１１】
2006033408.tif 000013